(57)【要約】【課題】リール本体の後部と下部を広く保護することを可能とし、かつリール本体に対して確実に固定されてガタ付きや隙間が生じることのない保護カバーを取着した魚釣用スピニングリールを提供する。【解決手段】本発明の魚釣用スピニングリールは、リール本体２の後部と下部を保護する保護カバー１０と、保護カバー１０をリール本体２に対して下部側から上方側に向けて固定するネジ１２と、リール本体２の後部と保護カバー１０の後部に夫々設けられ、ネジ１２によって保護カバー１０をリール本体２に取り付ける際に互いに係合する係止部２０，３０とを備えている。そして、ネジ１２の固定時に保護カバー１０の後部１０ｂがリール本体２の後部に対して圧接するように、リール本体２の係止部２０及び保護カバー１０の係止部３０の少なくともいずれか一方をネジの固定方向Ｄ１に対して所定角度傾斜させたことを特徴とする。【選択図】    図２
2006115808.tif 000002
【特許請求の範囲】
【請求項１】
リール本体に支持されたハンドルの回転によって駆動されるロータの回転により、リール本体に支持されたスプールに釣糸を巻回保持すると共に、前記リール本体の後部と下部を保護する保護カバーを備えた魚釣用スピニングリールにおいて、
前記保護カバーを前記リール本体に対して前記下部側から上方側に向けて固定する固定部材と、前記リール本体の後部と前記保護カバーの後部に夫々設けられ、前記固定部材によって前記保護カバーをリール本体に取り付ける際に互いに係合する係止部と、
を備え、
前記固定部材の固定時に前記保護カバー後部がリール本体後部に対して圧接すべく、前記リール本体の係止部及び保護カバーの係止部の少なくともいずれか一方を前記固定部材の固定方向に対して所定角度傾斜させたことを特徴とする魚釣用スピニングリール。
【請求項２】
前記夫々の係止部は、前記保護カバーと前記リール本体後部とで閉塞された空間内に設けられていることを特徴とする請求項１に記載の魚釣用スピニングリール。
【発明の詳細な説明】
【技術分野】
【０００１】
本発明は、魚釣用スピニングリールに関し、詳細には、リール本体の後部及び下部を保護する保護カバーに特徴を有する魚釣用スピニングリールに関する。
【背景技術】
【０００２】
従来、魚釣用スピニングリールは、リール本体に支持されたハンドルの回転によって駆動されるロータの回転により、リール本体に支持されたスプールに釣糸を巻回保持するべく構成されている。このような魚釣用スピニングリールには、一般的に、リール本体に傷が付いて表面処理層が剥離し、傷口から腐食が発生するのを防ぐこと、及び落下等によるリール本体への衝撃を緩和することを主目的として、リール本体の後部と下部を保護する保護カバーが設けられている。そして、このような保護カバーは、上記した主目的からすると、できるだけ広範囲を覆うと共に強固に取り付けられることが望ましく、例えば、特許文献１に開示されているように、一端側をリール本体の脚部に固定部材（ネジ）を介して固定し、他端側を係止爪でリール本体に係止することで、リール本体に対してガタ付きを発生させることなく固定することが一般的である。
【０００３】
しかしながら、前記特許文献１に開示されているような構成では、リール本体の脚部に固定部材用を挿通させる孔（ネジ孔）が形成されているため、脚部の強度が不足してしまう不都合が指摘されている。このような強度不足を補うためには、脚部を太くする必要性が生じてしまい、必然的にリール本体の重量が重くなる傾向が生じ、リール全体を軽量化する上において妨げとなっている。
【０００４】
上記した不具合を解消するべく、例えば、特許文献２には、リール本体の脚部に固定部材を取り付けることなく、保護カバーを強固に取り付ける構成が開示されている。すなわち、特許文献２には、リール本体の後端側から固定部材（ネジ）を介して保護カバーを取り付けると共に、固定部材の締め付け力作用時に、保護カバーを、リール本体の下部に形成された係合部へ向けて変位させるように、リール本体の後部と下部との間に傾斜面を形成しておき、これにより保護カバーのガタ付きを防止しつつ、リール本体の後端の下方領域を覆うようにした構成が開示されている。また、例えば、特許文献３には、リール本体の後端斜め下方側から固定部材（ネジ）を螺入して、リール本体の後部から下部領域を覆う二重の保護カバーを取り付ける構成が開示されており、固定部材を締め付ける際の締め付け力を利用して保護カバー同士のガタ付きを抑えるようにした保護カバーの取付構造が開示されている。
【特許文献１】実開平５−３９２６８号公報
【特許文献２】実開平６−１３４７１号公報
【特許文献３】特開２００１−２９９１６１号公報
【発明の開示】
【発明が解決しようとする課題】
【０００５】
しかし、上記した特許文献２に開示されている構成は、保護カバーの外面（下面）を、リール本体に形成した傾斜面の端部に形成された係合部に係止するため、その係止部分に隙間や段差が生じてしまい、この部分にゴミや埃、或いはコマセ等が溜まり易く、更には、海水等が掛かった際にゴミや埃等に海水を滞留させてしまうので、腐食の発生を誘発してしまう恐れがある。また、リール本体と保護カバーとの合わせ面を傾斜状にして両者を当接し、後方側から固定部材を螺入した際に、傾斜面を利用して保護カバーの端部を係合部側に変位させる構成のため、リール本体と保護カバーの形状に制約が生じてしまい、デザインの自由度を制限してしまうのと同時に、保護カバー形状を、リール本体の後部と下部を広く覆うように構成することは不可能となってしまう。
【０００６】
また、上記した特許文献３に開示されている構成は、保護カバーを二重構造としたことから、上記した特許文献２に開示されている構成と比較して、リール本体の後部と下部を広く覆うことは可能であるが、保護カバーの両端部と固定部材取付部との間の距離が遠くなるため、固定部材の締め付け力が保護カバーの端部に対して充分に作用せず、保護カバー両端部とリール本体間に隙間が生じる恐れがある。すなわち、二重の保護カバー間のガタ付きを防止することは可能であるが、リール本体と保護カバーとの間のガタ付きについては抑えることができない。
【０００７】
本発明は、上記した問題に着目して成されたものであり、リール本体の後部と下部を広く保護することを可能とし、かつリール本体に対して確実に固定されてガタ付きや隙間が生じることのない保護カバーを取着した魚釣用スピニングリールを提供することを目的とする。
【課題を解決するための手段】
【０００８】
上記した目的を達成するために、本発明に係る魚釣用スピニングリールは、リール本体に支持されたハンドルの回転によって駆動されるロータの回転により、リール本体に支持されたスプールに釣糸を巻回保持すると共に、前記リール本体の後部と下部を保護する保護カバーを備えた構成において、前記保護カバーを前記リール本体に対して前記下部側から上方側に向けて固定する固定部材と、前記リール本体の後部と前記保護カバーの後部に夫々設けられ、前記固定部材によって前記保護カバーをリール本体に取り付ける際に互いに係合する係止部とを備え、前記固定部材の固定時に前記保護カバー後部がリール本体後部に対して圧接すべく、前記リール本体の係止部及び保護カバーの係止部の少なくともいずれか一方を前記固定部材の固定方向に対して所定角度傾斜させたことを特徴とする。
【０００９】
上記した構成によれば、保護カバーをリール本体の下部側から上方側に向けて固定部材によって固定することから、リール本体の下部及び後部を広い範囲で覆うことが可能になると共に、リール本体の後部を広い範囲に亘ってカバーするに当たって、固定部材をリール本体脚部に取り付ける必要がないことから、リール本体脚部を細くすることが可能になる。また、保護カバーを取り付けるに当たって固定部材を固定する際、保護カバーは、上記したリール本体の後部と保護カバーの後部に夫々設けられた係止部の傾斜構造によって強制的にリール本体の後部に向けて圧接されることから、上述したようにリール本体の後部領域を広く覆うことが可能になると共に、保護カバーとリール本体との間に隙間が生じたり、ガタ付きが発生することはなく、強固な取り付け構造となる。
【発明の効果】
【００１０】
本発明によれば、リール本体の後部と下部が広く保護されると共に、リール本体に対して確実に固定されてガタ付きや隙間が生じることのない保護カバーを取着した魚釣用スピニングリールが得られる。
【発明を実施するための最良の形態】
【００１１】
以下、本発明に係る魚釣用スピニングリールの実施形態について、添付図面を参照して具体的に説明する。
【００１２】
図１乃至図６は、本発明に係る魚釣用スピニングリールの第１の実施形態を示す図であり、図１は、全体構成を示す側面図、図２は、保護カバーの取り付け状態を示す部分断面図、図３は、リール本体から保護カバーを取り外した状態を示す図、図４は、リール本体に保護カバーを装着した状態を示す図、図５は、図４における主要部の拡大図、そして、図６は、固定部材を締め付ける際の保護カバーの動作を拡大して示す図である。
【００１３】
魚釣用スピニングリール１は、釣竿に装着するための脚部２ａを具備したリール本体２と、リール本体２の前方に回転可能に配されたロータ３と、ロータ３の回転運動と同期して前後動可能に配されたスプール５とを有している。前記リール本体２内には、ハンドル軸が回転可能に支持されており、その突出端部には、ハンドル７が取り付けられている。そして、リール本体２内には、公知のように、ハンドル７の回転操作を、前記ロータ３の回転運動に変換すると共に、前記スプール５の前後往復動作に変換するように、動力伝達機構が配置されている。
【００１４】
前記リール本体２は、軽量化が図れる材料、例えば、アルミニウム、チタン、マグネシウム、合成樹脂等によって成形されており、必要に応じて、その表面には、外観を向上するための装飾層が施されている。また、リール本体２の後方領域には、リール本体２の下部から後部に亘って広く覆うように、所定の肉厚を有する保護カバー１０が固定されており、リール本体２の後方領域を保護している。なお、保護カバー１０は、落下時の衝撃を緩和する等の目的から、合成樹脂や、ＳＵＳ、アルミなどの金属材料によって一体形成されている。
【００１５】
前記保護カバー１０は、リール本体２の後方領域に保護カバー１０を固定した際、リール本体２の下面２ｂと略面一となる下部１０ａと、リール本体２の後面２ｃと略面一となる後部１０ｂとを備えている。すなわち、リール本体２の後方領域には、上記した保護カバー１０を固定した際、保護カバーの肉厚分窪んだ取付下面２ｂ´と取付後面２ｃ´が形成されており、下面２ｂと取付下面２ｂ´との間の段部２ｅに保護カバー１０の下部１０ａの端縁１０ｃが当て付き、後面２ｃと取付後面２ｃ´との間の段部２ｆに保護カバー１０の後部１０ｂの端縁１０ｄが当て付くようになっている。
【００１６】
この結果、保護カバー１０をリール本体２に対して固定した場合、リール全体として見ると、リール本体２の下面２ｂと保護カバー１０の下部１０ａが略面一状となって、リール本体２の最下面となる下部を形成し、リール本体２の後面２ｃと保護カバー１０の後部１０ｂが略面一状となって、リール本体２の最後面となる後部を形成する。
【００１７】
なお、前記保護カバー１０の形状は、リール本体２の後方領域を覆うように形成されたものであれば良く、図に示すように、下部１０ａと後部１０ｂの間に傾斜する中間部１０ｆを形成しても良いし、このような中間部１０ｆを形成することなく、下部１０ａと後部１０ｂが直接交差するように形成しても良い。また、中間部１０ｆについては、所定の曲率を有する湾曲面で構成しても良い。
【００１８】
上記したリール本体２と保護カバー１０との間の当て付け構造は、後述するように、保護カバー１０を下部１０ａ側から上方側に向けて固定し（固定方向をＤ１とする）、かつこの固定時において、後部１０ｂを矢印Ｄ２方向に向けて圧接させることから、段部２ｅ及び段部２ｆは、圧接方向Ｄ１，Ｄ２に対して、保護カバー１０の各端縁１０ｃ，１０ｄを夫々受けるように傾斜していることが好ましい。また、これに伴い、保護カバーの各端縁１０ｃ，１０ｄも、段部２ｅ及び段部２ｆの傾斜面に対して密着できるように、同様な傾斜方向で傾斜していることが好ましい。もちろん、保護カバー１０とリール本体２との間の当て付け構造については、固定時に両者の間に隙間が生じないようになっていれば良く、例えば、段部２ｅと保護カバー１０の端縁１０ｃとの間の密着する方向をＤ１方向に沿うようにしたり、段部２ｆと保護カバー１０の端縁１０ｄとの間の密着する方向をＤ２方向に沿うようにする等、適宜変形することが可能である。
【００１９】
前記保護カバー１０の下部１０ａには、保護カバー１０をリール本体２に固定する固定部材であるネジ１２が挿通するように貫通孔１０ｈが形成されている。この貫通孔１０ｈは、リール本体の下部側を広く覆うと共に、リール本体２との間の密着部で強い圧接力が得られるように、リール本体２の前方側（ロータ側）に設けられていることが好ましい。一方、リール本体２の取付下面２ｂ´には、貫通孔１０ｈに対応して前記ネジ１２が螺入されるように雌ネジ部２ｈが形成されている。
【００２０】
この場合、雌ネジ部２ｈの周囲は、突出部２ｋとして形成されており、この突出部２ｋに貫通孔１０ｈが嵌り込むことで、保護カバー１０の位置決めが成されるようになっている。すなわち、保護カバー１０の貫通孔１０ｈを突出部２ｋに嵌め込むことで保護カバー１０を位置決めし、この状態でネジ１２を上方側に向けて（Ｄ１方向に向けて）螺入して行くことで、保護カバー１０はリール本体２に固定される。そして、保護カバー１０の貫通孔１０ｈの周囲に凹部１０ｋを形成しておくことが好ましく、このように構成することで、ネジ１２の締め付け時に、ネジ１２の頭部１２ａを保護カバー１０の下部１０ａから露出させることがなくなって、段差が生じることを防止することができる。
【００２１】
また、前記リール本体２の後部及び保護カバー１０の後部には、保護カバー１０をリール本体２に固定する際に、互いに係合する係止部２０，３０（リール本体側係止部２０，保護カバー側係止部３０）が夫々設けられている。これらの係止部２０，３０は、上記したネジ１２を固定する際に互いに係合する部分であって、ネジ１２のＤ１方向に向かう締め付けに従って、保護カバー１０の後部１０ｂをリール本体２の後部に向けて移動させる（Ｄ２方向の力を生じさせる）ように形成されている。すなわち、係止部２０，３０は、上記したネジ１２の締め付けにより、保護カバー１０には矢印Ｄ１方向に向かう力が作用するが、この方向に対して、保護カバー１０の後部をリール本体に対して圧接させる向きとなるＤ２方向の分力が生じるように、Ｄ１方向に対して所定角度傾斜した状態で両者が係合するようになっている。
【００２２】
具体的には、前記係止部２０は、リール本体２の取付後面２ｃ´の略中央部分に、斜め下方に向けて突出するように形成されており、その係止部２０の下方領域には、保護カバーの取付時に係止部３０が位置できるように収容凹部２１が形成されている。また、前記係止部３０は、保護カバー１０の後部の内面の略中央部分に斜め上方に向けて突出するように形成されており、保護カバー１０の取付時にその上面３０ａが前記係止部２０の下面２０ａに当て付きながら移動可能となるように形成されている。すなわち、係止部２０及び係止部３０は、共にＤ１方向に対して所定角度傾斜して互いに面接しながら係合するようになっており、保護カバー１０に矢印Ｄ１方向の締め付け力が作用した際、保護カバー１０の後部１０ｂをリール本体側に向けて圧接させる力が生じるように形成されている。
【００２３】
なお、上記した係止部２０，３０は、図３、図４に示すように、保護カバー１０をリール本体２に取り付けた際、リール本体２の後部（取付後面２ｃ´）と保護カバー１０との間の閉塞された空間内に位置することから、外観上、これらの係止部２０，３０が露出するようなことはない。また、係止部２０，３０については、リール本体２の幅方向（紙面と垂直方向）に亘って係合するように、夫々幅方向に沿って所定の長さ延出形成されていても良いし、例えば、幅方向の両サイドの２箇所に形成する等、所定間隔をおいて形成されたものであっても良い。
【００２４】
次に、上記した構成の魚釣用スピニングリールの作用、効果について説明する。  
リール本体２に対して保護カバー１０を取り付けるに際して、図３及び図４に示すように、保護カバー１０の貫通孔１０ｈをリール本体２の突出部２ｋに嵌め込むことで保護カバー１０を位置決めし、この状態でネジ１２を上方側に向けて（Ｄ１方向に向けて）螺入する。ネジ１２を螺入して行く前は、保護カバー１０の後部１０ｂは、図５の実線、及び図６の点線で示すように、リール本体２に対して圧接されていないが、ネジ１２を螺入して矢印Ｄ１方向に締め付けるに従い、上記した係止部２０，３０の係合関係によって、保護カバー１０の後部１０ｂは、矢印Ｄ２方向の力が作用してリール本体２の後部に対して圧接され、最終的に、図1、図２及び図６の実線に示すように、リール本体２に対して一体化するように固定され、リール本体２の保護機能を発揮するようになる。また、このとき、保護カバー１０の端縁１０ｃ，１０ｄは、夫々段部２ｅ，２ｆに圧接された状態となって、リール本体２と保護カバー１０はガタ付くことなく固定された状態となる。
【００２５】
上記したような保護カバー１０の取付構造によれば、固定部材であるネジ１２による下方からの固定のみで、保護カバー１０の後部１０ｂを、上記した各係止部２０，３０の係合関係によってリール本体２側に向けて圧接することができるので、固定部材を複数方向から組み付ける必要がなくなる。特に、固定時において、保護カバー１０の後部領域は、強制的にリール本体２側に向けて圧接作用を受けることから、保護カバー１０を、リール本体２の下部から後部に亘って広い範囲で覆うように形成することが可能になると共に、上記した圧接作用によって、保護カバー１０の両端部に隙間が生じることはなく、ガタ付きやずれなどが確実に防止されるようになる。
【００２６】
また、脚部２ａを挿通させるような固定部材を廃することができるので、構造が簡素化されるのと同時に、脚部２ａにネジ孔を形成することによる強度低下がないので、脚部を細径化することができ、強度を維持したままで、リール本体２の軽量化が容易に実現できる。
【００２７】
また、保護カバー１０とリール本体２が接合する部分（段部２ｅと保護カバー１０の下部１０ａの端縁１０ｃ、及び段部２ｆと保護カバー１０の後部１０ｂの端縁１０ｄ）は、案内面として使用するのではなく、単に、両端部における圧接面として使用されることから、保護カバー１０の形状に制約を受けることがなくなって、自由なデザインが可能となる。
【００２８】
さらに、両係止部２０，３０は、保護カバー１０とリール本体２との間の閉塞された空間内に位置することから、外観上、隙間や段差が生じることがなくなり、コマセや粉塵等の付着を防ぎ、かつ塩分が蓄積することもなくなるので、腐食の発生を大幅に減らすことが可能になる。
【００２９】
次に、図７及び図８を参照して、上記した実施形態の変形例について説明する。  
上記した実施形態では、リール本体２の係止部２０と保護カバー１０の係止部３０は、共に、ネジ１２の固定方向であるＤ１方向に対して所定角度傾斜した状態で面接して係合するように構成されていたが、所定角度傾斜させるのは、いずれか一方であっても良い。すなわち、いずれか一方の係止部が傾斜していることで、ネジ１２を固定する際に、保護カバー１０の後部１０ｂをリール本体側に向けて案内することが可能である。
【００３０】
具体的には、図７に示す変形例のように、リール本体２の取付後面２ｃ´側に形成される係止部２２を、保護カバー１０側に形成される傾斜した係止部３０の上面３０ａに当て付くように（点接触するように）突起部２２ａを具備した構成にしても良いし、或いは、図８に示す変形例のように、保護カバー１０側に形成される係止部３２を、リール本体２側に形成される傾斜した係止部２０の上面２０ａに当て付くように（点接触するように）突起部３２ａを具備した構成にしても良い。
【００３１】
このように構成しても、上記した実施形態と同様な作用効果が得られると共に、面同士の接触でないことから、取付時において、両者の間にガタ付きが生じることを効果的に防止することが可能となる。
【００３２】
図９乃至図１１は、本発明の第２の実施形態を示す図であり、図９は、リール本体と保護カバーの係合部分を示す図、図１０は、図９のＡ−Ａ線に沿った断面図、図１１は、図９のＢ−Ｂ線に沿った断面図である。
【００３３】
本実施形態では、図１０及び図１１に示すように、保護カバー１０に形成される係止部３５は、保護カバー１０の両側壁の内側に、夫々中心側に向けて突出するように一対形成されており、各係止部３５は、上記した実施形態と同様、図９に示すように、ネジ１２の固定方向Ｄ１に対して所定角度傾斜するように形成されている。一方、リール本体２側に形成される係止部２５は、リール本体２の後部の両サイドにおいて、下方に向けて突出するように一対形成されており、各係止部２５の下方領域には、係止部３５が位置できるように収容凹部２６が形成されている。
【００３４】
そして、保護カバー１０を取り付けるに当たって、保護カバー１０の各係止部３５は、それぞれの上面３５ａが前記係止部２５の下面２５ａに当て付きながら移動可能となるように、前記収容凹部２６内に位置している。すなわち、係止部２５及び係止部３５は、共にＤ１方向に対して所定角度傾斜して互いに面接して係合するようになっており、上記した実施形態と同様、保護カバー１０に矢印Ｄ１方向の締め付け力が作用した際、保護カバー１０の後部１０ｂをリール本体側に向けて圧接させるようになっている。
【００３５】
このような構成によれば、上記した実施形態と同様な作用効果が得られると共に、保護カバー１０の係止部３５は、保護カバー１０の両側壁部に対して、側壁に沿うように一体形成されることから、合成樹脂等による一体成形時において、その周辺領域にヒケが生じることがなくなって、外観の向上が図れるようになる。
【００３６】
以上、本発明の実施形態について説明したが、本発明は、上記した実施形態に限定されることはなく、種々変形することが可能である。
【００３７】
上記した実施形態では、リール本体２に形成される係止部２０，２２，２５、保護カバー１０に形成される係止部３０，３２，３５は、両者の間の閉塞領域に形成されていたが、外部に露出するような位置に形成されていても良いし、両者が圧接する端部領域に形成されていても良い。また、保護カバー１０をリール本体２に固定する固定部材（ビス１２）については、１箇所ではなく、複数箇所に設けられていても良い。この場合、上述した理由により、固定部材は、脚部２ａ以外の位置に配置しておくことが好ましい。
【００３８】
また、固定部材が設けられる位置については、保護カバー１０の下部における縁部（圧接部分）を確実に固定して、浮くことがないように、できるだけ端部に形成しておくことが好ましい。このような位置に設置しておくことで、保護カバー１０によって覆う領域をできるだけ多くすることが可能になる。
【００３９】
また、本発明では、リール本体２の係止部２０，２２，３２及び保護カバー１０の係止部３０，３２，３５が、固定部材を固定する際に生じる締め付け力が作用した際、保護カバー１０の後部１０ｂがリール本体側に向けて圧接されるように構成されていれば良く、固定部材の固定方向、その方向に対して傾斜するように設けられる各係止部の設置位置や傾斜角度については、適宜変形することが可能である。例えば、固定部材の設置位置は、リール本体の後部側（図１，２の中間部１０ｆや中間部２０ｆ寄り）に形成されていても良い。
【図面の簡単な説明】
【００４０】
【図１】本発明に係る魚釣用スピニングリールの第１の実施形態を示す全体構成図。
【図２】保護カバーの取り付け状態を示す部分断面図。
【図３】リール本体から保護カバーを取り外した状態を示す図。
【図４】リール本体に保護カバーを装着した状態を示す図。
【図５】図４における主要部の拡大図。
【図６】固定部材を締め付ける際の保護カバーの動作を拡大して示す図。
【図７】第１変形例を示す図であり、リール本体と保護カバーの係合部分を示す図。
【図８】第２変形例を示す図であり、リール本体と保護カバーの係合部分を示す図。
【図９】本発明の第２の実施形態を示す図であり、リール本体と保護カバーの係合部分を示す図。
【図１０】図９のＡ−Ａ線に沿った断面図。
【図１１】図９のＢ−Ｂ線に沿った断面図。
【符号の説明】
【００４１】
１  魚釣用スピニングリール
２  リール本体
３  ロータ
５  スプール
７  ハンドル
１０  保護カバー
１０ａ  下部
１０ｂ  後部
１２  ネジ（固定部材）
２０，２２，２５  係止部（リール本体側）
３０，３２，３５  係止部（保護カバー側）
【図１】
2006115808.tif 000003
【図２】
2006115808.tif 000004
【図３】
2006115808.tif 000005
【図４】
2006115808.tif 000006
【図５】
2006115808.tif 000007
【図６】
2006115808.tif 000008
【図７】
2006115808.tif 000009
【図８】
2006115808.tif 000010
【図９】
2006115808.tif 000011
【図１０】
2006115808.tif 000012
【図１１】
2006115808.tif 000013